(57)【要約】  本開示の一態様に係るユーザ端末は、サウンディング参照信号（ＳＲＳ）リソース識別子用のフィールドを含まない下り制御情報、又は、前記ＳＲＳリソース識別子を含まない設定情報を受信する受信部と、前記下り制御情報によってスケジュールされる、又は、前記設定情報によって設定される上り共有チャネルを送信する送信部と、前記上り共有チャネルの送信に用いる空間関係を決定する制御部と、を具備する。
2020144780.tif 000002
【特許請求の範囲】
【請求項１】
サウンディング参照信号（ＳＲＳ）リソース識別子用のフィールドを含まない下り制御情報、又は、前記ＳＲＳリソース識別子を含まない設定情報を受信する受信部と、
前記下り制御情報によってスケジュールされる、又は、前記設定情報によって設定される上り共有チャネルを送信する送信部と、
前記上り共有チャネルの送信に用いる空間関係を決定する制御部と、
を具備することを特徴とするユーザ端末。
【請求項２】
前記制御部は、前記上り共有チャネルを送信するセル内でアクティブな上り帯域幅部分に設定される一以上の上り制御チャネル用リソースの中で、最低の識別子を有する上り制御チャネル用リソースに対応する空間関係を、前記上り共有チャネルの送信に用いることを特徴とする請求項１に記載のユーザ端末。
【請求項３】
前記ユーザ端末に個別の上り制御チャネル構成が設定され、かつ、前記下り制御情報が特定の無線ネットワーク一時識別子（ＲＮＴＩ）によって冗長検査チェック（ＣＲＣ）スクランブルされる場合、前記制御部は、直近のランダムアクセスチャネルと同一の空間関係を、前記上り共有チャネルの送信に用いることを特徴とする請求項１に記載のユーザ端末。
【請求項４】
前記ユーザ端末に個別の上り制御チャネル構成が設定され、かつ、前記下り制御情報が特定の無線ネットワーク一時識別子（ＲＮＴＩ）によって冗長検査チェック（ＣＲＣ）スクランブルされる場合、前記制御部は、ランダムアクセス応答によってスケジュールされる直近の上り共有チャネルと同一の空間関係を、前記上り共有チャネルの送信に用いることを特徴とする請求項１に記載のユーザ端末。
【請求項５】
前記ユーザ端末に個別の上り制御チャネル構成が設定され、かつ、前記下り制御情報が特定の無線ネットワーク一時識別子（ＲＮＴＩ）によって冗長検査チェック（ＣＲＣ）スクランブルされる場合、セル固有に設定される一以上の上り制御チャネル用リソースの中で最低の識別子を有する上り制御チャネル用リソースに対応する空間関係を、前記上り共有チャネルの送信に用いることを特徴とする請求項１に記載のユーザ端末。
【請求項６】
サウンディング参照信号（ＳＲＳ）リソース識別子用のフィールドを含まない下り制御情報、又は、前記ＳＲＳリソース識別子を含まない設定情報を受信する工程と、
前記下り制御情報によってスケジュールされる、又は、前記設定情報によって設定される上り共有チャネルを送信する工程と、
前記上り共有チャネルの送信に用いる空間関係を決定する工程と、
を具備することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
Universal  Mobile  Telecommunications  System（ＵＭＴＳ）ネットワークにおいて、更なる高速データレート、低遅延などを目的としてLong  Term  Evolution（ＬＴＥ）が仕様化された（非特許文献１）。また、ＬＴＥ（Third  Generation  Partnership  Project（３ＧＰＰ）  Release（Ｒｅｌ．）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、5th  generation  mobile  communication  system（５Ｇ）、５Ｇ＋（plus）、New  Radio（ＮＲ）、３ＧＰＰ  Ｒｅｌ．１５以降などともいう）も検討されている。【０００４】
既存のＬＴＥシステム（例えば、ＬＴＥ  Ｒｅｌ．８−１４）において、ユーザ端末（ＵＥ：User  Equipment）は、下り制御情報（Downlink  Control  Information（ＤＣＩ））に基づいて、上り共有チャネル（Physical  Uplink  Shared  Channel（ＰＵＳＣＨ））の送信を制御する。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
将来の無線通信システム（例えば、ＮＲ）において、ＵＥは、ビーム管理（Beam  Management（ＢＭ））を行うことが検討されている。具体的には、ＵＥは、ＤＣＩ内の所定フィールド（例えば、サウンディング参照信号（Sounding  Reference  Signal（ＳＲＳ））リソース識別子（SRS  Resource  Indicator（ＳＲＩ））フィールド）の値に基づいて、ＰＵＳＣＨの送信に用いる空間関係（ビーム、空間ドメイン送信フィルタ、空間ドメインフィルタ又は空間セッティング等ともいう）を決定することが検討されている。【０００７】
また、設定グラント（Configured  grant）ベースのＰＵＳＣＨの空間関係を、当該ＰＵＳＣＨの設定情報（設定グラント設定情報、例えば、ＲＲＣ情報要素の「ConfiguredGrantConfig」）内の所定パラメータ（例えば、ＲＲＣ情報要素の「srs-ResourceIndicator」）の値に基づいて決定することが検討されている。【０００８】
しかしながら、所定の条件が満たされる場合、ＵＥは、上記ＤＣＩ内の所定フィールド値、又は、上記設定グラント設定情報内の所定パラメータに基づいて、ＰＵＳＣＨの送信に用いる空間関係を決定できない恐れがある。【０００９】
そこで、本開示は、ＰＵＳＣＨの送信に用いる空間関係を適切に決定可能なユーザ端末及び無線通信方法を提供することを目的の１つとする。
【課題を解決するための手段】
【００１０】
本開示の一態様に係るユーザ端末は、サウンディング参照信号（ＳＲＳ）リソース識別子用のフィールドを含まない下り制御情報、又は、前記ＳＲＳリソース識別子を含まない設定情報を受信する受信部と、前記下り制御情報によってスケジュールされる、又は、前記設定情報によって設定される上り共有チャネルを送信する送信部と、前記上り共有チャネルの送信に用いる空間関係を決定する制御部と、を具備する。
【発明の効果】
【００１１】
本開示の一態様によれば、ＰＵＳＣＨの送信に用いる空間関係を適切に決定できる。
【図面の簡単な説明】
【００１２】
【図１】第１の態様に係るＰＵＳＣＨの空間関係の決定の一例を示すフローチャートである。
【図２】ＣＢＲＡの一例を示す図である。
【図３】第２の態様に係るＰＵＳＣＨの空間関係の決定の一例を示すフローチャートである。
【図４】一実施形態に係る無線通信システムの概略構成の一例を示す図である。
【図５】一実施形態に係る基地局の機能構成の一例を示す図である。
【図６】一実施形態に係るユーザ端末の機能構成の一例を示す図である。
【図７】一実施形態に係る基地局及びユーザ端末のハードウェア構成の一例を示す図である。
【発明を実施するための形態】
【００１３】
ＮＲでは、上り信号（例えば、上り共有チャネル（Physical  Uplink  Shared  Channel（ＰＵＳＣＨ））、上り制御チャネル（Physical  Uplink  Control  Channel（ＰＵＣＣＨ））等）の送信は、空間関係（Spatial  Relation）（空間設定（spatial  setting）等ともいう）に基づいて制御される。
【００１４】
空間関係（spatial  relation）とは、所望の信号及びチャネルの少なくとも一つ（信号／チャネル）（例えば、ＰＵＣＣＨ、測定用参照信号（サウンディング参照信号（Sounding  Reference  Signal（ＳＲＳ）））等）と、基準信号（基準ＲＳ（Reference  RS））との間の空間的な関係であってもよい。
【００１５】
基準ＲＳは、例えば、同期信号ブロック（Synchronization  Signal  Block（ＳＳＢ））、チャネル状態情報参照信号（Channel State Information-Reference  Signal（ＣＳＩ−ＲＳ））及びＳＲＳの少なくとも一つ、又は、これらの少なくとも一つを拡張又は変更して構成されてもよい。ＳＳＢは、ＳＳブロック、ＳＳ／ブロードキャストチャネル（Physical  Broadcast  Channel（ＳＳ／ＰＢＣＨ））ブロック等と呼ばれてもよい。
【００１６】
また、空間関係は、疑似コロケーション（Quasi-Co-Location（ＱＣＬ））の関係等と言い換えられてもよい。ＱＣＬとは、所望の信号／チャネルの統計的性質を示す指標であってもよい。
【００１７】
例えば、所望の信号／チャネルと基準ＲＳが空間関係である場合、所望の信号／チャネルと基準ＲＳとの間において、ドップラーシフト（Doppler  shift）、ドップラースプレッド（Doppler  spread）、平均遅延（average  delay）、遅延スプレッド（delay  spread）、空間パラメータ（Spatial  parameter）（例えば、空間ドメイン送信フィルタ（Spatial  domain  transmission  filter）、空間ドメイン受信フィルタ（Spatial  domain  receive  filter）等）の少なくとも１つが同一である（これらの少なくとも１つに関してＱＣＬ関係である）と仮定できることを意味してもよい。
【００１８】
また、ＮＲでは、上り信号の送信は、ビームコレスポンデンス（Beam  Correspondence（ＢＣ））の有無に基づいて制御されてもよい。ＢＣとは、例えば、あるノード（例えば、基地局又はＵＥ）が、信号の受信に用いるビーム（受信ビーム、Ｒｘビーム）に基づいて、信号の送信に用いるビーム（送信ビーム、Ｔｘビーム）を決定する能力であってもよい。
【００１９】
なお、ＢＣは、送信／受信ビームコレスポンデンス（Tx/Rx  beam  correspondence）、ビームレシプロシティ（beam  reciprocity）、ビームキャリブレーション（beam  calibration）、較正済／未較正（Calibrated/Non-calibrated）、レシプロシティ較正済／未較正（reciprocity  calibrated/non-calibrated）、対応度、一致度などと呼ばれてもよい。
【００２０】
例えば、ＢＣ無しの場合、ＵＥは、一以上のＳＲＳ（又はＳＲＳリソース）の測定結果に基づいて基地局から指示されるＳＲＳ（又はＳＲＳリソース）と同一のビーム（空間ドメイン送信フィルタ）を用いて、上り信号（例えば、ＰＵＳＣＨ、ＰＵＣＣＨ、ＳＲＳ等）を送信してもよい。
【００２１】
一方、ＢＣ有りの場合、ＵＥは、所定のＳＳＢ又はＣＳＩ−ＲＳ（又はＣＳＩ−ＲＳリソース）の受信に用いるビーム（空間ドメイン受信フィルタ）と同一の又は対応するビーム（空間ドメイン送信フィルタ）を用いて、上り信号（例えば、ＰＵＳＣＨ、ＰＵＣＣＨ、ＳＲＳ等）を送信してもよい。
【００２２】
（ＰＵＣＣＨの空間関係）
ＵＥは、上位レイヤシグナリング（例えば、Radio  Resource  Control（ＲＲＣ）シグナリング）によって、ＰＵＣＣＨ送信に用いられるパラメータ（ＰＵＣＣＨ設定情報、PUCCH-Config）を設定されてもよい。ＰＵＣＣＨ設定情報は、キャリア（セル、コンポーネントキャリア等ともいう）内の部分的な帯域（例えば、上り帯域幅部分（Bandwidthpart（ＢＷＰ）））毎に設定されてもよい。
【００２３】
ＰＵＣＣＨ設定情報は、ＰＵＣＣＨリソースセット情報（例えば、PUCCH-ResourceSet）のリストと、ＰＵＣＣＨ空間関連情報（例えば、PUCCH-SpatialRelationInfo）のリストと、を含んでもよい。
【００２４】
ＰＵＣＣＨリソースセット情報は、ＰＵＣＣＨリソースインデックス（ＩＤ、例えば、PUCCH-ResourceId）のリスト（例えば、resourceList）を含んでもよい。
【００２５】
また、ＵＥがＰＵＣＣＨ設定情報内のＰＵＣＣＨリソースセット情報によって提供される個別ＰＵＣＣＨリソース設定情報（例えば、個別ＰＵＣＣＨリソース構成（dedicated  PUCCH  resource  configuration））を持たない場合（ＲＲＣセットアップ前）、ＵＥは、システム情報（例えば、System  Information  Block  Type1（ＳＩＢ１）又はRemaining  minimum  system  information（ＲＭＳＩ））内のパラメータ（例えば、pucch-ResourceCommon）に基づいて、ＰＵＣＣＨリソースセットを決定してもよい。当該ＰＵＣＣＨリソースセットは、１６個のＰＵＣＣＨリソースを含んでもよい。
【００２６】
一方、ＵＥが上記個別ＰＵＣＣＨリソース設定情報（ＵＥ個別の上り制御チャネル構成、個別ＰＵＣＣＨリソース構成）を持つ場合（ＲＲＣセットアップ後）、ＵＥは、ＵＣＩ情報ビットの数に従ってＰＵＣＣＨリソースセットを決定してもよい。
【００２７】
ＵＥは、下り制御情報（Downlink  Control  Information（ＤＣＩ））（例えば、ＰＵＳＣＨのスケジューリングに用いられるＤＣＩフォーマット１＿０又は１＿１）内の所定フィールド（例えば、ＰＵＣＣＨリソース指示（PUCCH  resource  indicator）フィールド）の値と、当該ＤＣＩを運ぶＰＤＣＣＨ受信用の制御リソースセット（COntrol  REsource  SET（ＣＯＲＥＳＥＴ））内のＣＣＥ数（ＮＣＣＥ）と、当該ＰＤＣＣＨ受信の先頭（最初の）ＣＣＥのインデックス（ｎＣＣＥ，０）と、の少なくとも一つに基づいて、上記ＰＵＣＣＨリソースセット（例えば、セル固有又はＵＥ個別に決定されるＰＵＣＣＨリソースセット）内の一つのＰＵＣＣＨリソース（インデックス）を決定してもよい。
【００２８】
ＰＵＣＣＨ空間関連情報（例えば、ＲＲＣ情報要素の「PUCCH-spatialRelationInfo」）は、ＰＵＣＣＨ送信のための複数の候補ビーム（空間ドメインフィルタ）を示してもよい。ＰＵＣＣＨ空間関連情報は、ＲＳ（Reference  signal）とＰＵＣＣＨの間の空間的な関連付けを示してもよい。
【００２９】
ＰＵＣＣＨ空間関連情報のリストは、少なくとも１つのエントリ（ＰＵＣＣＨ空間関連情報、ＰＵＣＣＨ空間関連情報ＩＥ（Information  Element））を含む。各ＰＵＣＣＨ空間関連情報は、例えば、ＰＵＣＣＨ空間関連情報のインデックス（ＩＤ、例えば、pucch-SpatialRelationInfoId）、サービングセルのインデックス（ＩＤ、例えば、servingCellId）、ＲＳのインデックス、ＰＵＣＣＨと空間関係となるＲＳに関する情報の少なくとも一つを含んでもよい。
【００３０】
例えば、当該ＲＳに関する情報は、ＳＳＢインデックス、ＣＳＩ−ＲＳインデックス（例えば、ＮＺＰ（Non-Zero  Power）−ＣＳＩ−ＲＳリソース構成ＩＤ）、又は、ＳＲＳリソースＩＤ及びＢＷＰのＩＤであってもよい。ＳＳＢインデックス、ＣＳＩ−ＲＳインデックス及びＳＲＳリソースＩＤは、対応するＲＳの測定によって選択されたビーム、リソース、ポートの少なくとも１つに関連付けられてもよい。
【００３１】
ＰＵＣＣＨ空間関連情報のリスト内の一以上のＰＵＣＣＨ空間関連情報（例えば、PUCCH-SpatialRelationInfo、又は、候補ビーム）の少なくとも１つは、ＭＡＣ（Medium  Access  Control）  ＣＥ（Control  Element）によって指示されてもよい。
【００３２】
ＵＥは、ＰＵＣＣＨ空間関連情報をアクティベート又はディアクティベートするＭＡＣ  ＣＥ（ＰＵＣＣＨ空間関連情報アクティベーション／ディアクティベーションＭＡＣ  ＣＥ、ＰＵＣＣＨ空間関連情報指示ＭＡＣ  ＣＥ）を受信してもよい。
【００３３】
ＵＥは、所定のＰＵＣＣＨ空間関係情報をアクティベートするＭＡＣ  ＣＥに対する肯定応答（ＡＣＫ）を送信してから３ｍｓ後に、当該ＭＡＣ  ＣＥにより指定されるＰＵＣＣＨ関係情報をアクティベートしてもよい。
【００３４】
ＵＥは、ＭＡＣ  ＣＥによりアクティベートされるＰＵＣＣＨ空間関係情報に基づいて、ＰＵＣＣＨの送信を制御してもよい。なお、ＰＵＣＣＨ空間関連情報のリスト内に単一のＰＵＣＣＨ空間関連情報が含まれる場合、ＵＥは、当該ＰＵＣＣＨ空間関係情報に基づいて、ＰＵＣＣＨの送信を制御してもよい。
【００３５】
（ＰＵＳＣＨの空間関係）
ＵＥは、測定用参照信号（例えば、サウンディング参照信号（Sounding  Reference  Signal（ＳＲＳ）））の送信に用いられる情報（ＳＲＳ設定情報、例えば、ＲＲＣ制御要素の「SRS-Config」内のパラメータ）を受信してもよい。
【００３６】
具体的には、ＵＥは、一つ又は複数のＳＲＳリソースセットに関する情報（ＳＲＳリソースセット情報、例えば、ＲＲＣ制御要素の「SRS-ResourceSet」）と、一つ又は複数のＳＲＳリソースに関する情報（ＳＲＳリソース情報、例えば、ＲＲＣ制御要素の「SRS-Resource」）との少なくとも一つを受信してもよい。
【００３７】
１つのＳＲＳリソースセットは、所定数のＳＲＳリソースに関連してもよい（所定数のＳＲＳリソースをグループ化してもよい）。各ＳＲＳリソースは、ＳＲＳリソース識別子（SRS  Resource  Indicator（ＳＲＩ））又はＳＲＳリソースＩＤによって特定されてもよい。
【００３８】
ＳＲＳリソースセット情報は、ＳＲＳリソースセットＩＤ（Identifier）（SRS-ResourceSetId）、当該リソースセットにおいて用いられるＳＲＳリソースＩＤ（SRS-ResourceId）のリスト、ＳＲＳリソースタイプ（例えば、周期的ＳＲＳ（Periodic  SRS）、セミパーシステントＳＲＳ（Semi-Persistent  SRS）、非周期的ＣＳＩ（Aperiodic  SRS）のいずれか）、ＳＲＳの用途（usage）（例えば、ビーム管理、コードブック、ノンコードブック、アンテナスイッチングなど）の情報を含んでもよい。
【００３９】
ＳＲＳリソース情報は、ＳＲＳリソースＩＤ（SRS-ResourceId）、ＳＲＳポート数、ＳＲＳポート番号、送信Ｃｏｍｂ、ＳＲＳリソースマッピング（例えば、時間及び／又は周波数リソース位置、リソースオフセット、リソースの周期、繰り返し数、ＳＲＳシンボル数、ＳＲＳ帯域幅など）、ホッピング関連情報、ＳＲＳリソースタイプ、系列ＩＤ、ＳＲＳの空間関係情報などを含んでもよい。
【００４０】
ＳＲＳの空間関係情報（例えば、ＲＲＣ情報要素の「spatialRelationInfo」）は、所定の参照信号とＳＲＳとの間の空間関係情報を示してもよい。当該所定の参照信号は、同期信号／ブロードキャストチャネル（ＳＳ／ＰＢＣＨ：Synchronization  Signal/Physical  Broadcast  Channel）ブロック、チャネル状態情報参照信号（ＣＳＩ−ＲＳ：Channel  State  Information  Reference  Signal）及びＳＲＳ（例えば別のＳＲＳ）の少なくとも１つであってもよい。ここで、ＳＳ／ＰＢＣＨブロックは、同期信号ブロック（ＳＳＢ）と呼ばれてもよい。
【００４１】
ＳＲＳの空間関係情報は、上記所定の参照信号のインデックスとして、ＳＳＢインデックス、ＣＳＩ−ＲＳリソースＩＤ、ＳＲＳリソースＩＤの少なくとも１つを含んでもよい。
【００４２】
なお、本開示において、ＳＳＢインデックス、ＳＳＢリソースＩＤ及びＳＳＢＲＩ（SSB  Resource  Indicator）は互いに読み替えられてもよい。また、ＣＳＩ−ＲＳインデックス、ＣＳＩ−ＲＳリソースＩＤ及びＣＲＩ（CSI-RS  Resource  Indicator）は互いに読み替えられてもよい。また、ＳＲＳインデックス、ＳＲＳリソースＩＤ及びＳＲＩは互いに読み替えられてもよい。
【００４３】
ＳＲＳの空間関係情報は、上記所定の参照信号に対応するサービングセルインデックス、ＢＷＰインデックス（ＢＷＰ  ＩＤ）などを含んでもよい。
【００４４】
ＵＥは、あるＳＲＳリソースについて、ＳＳＢ又はＣＳＩ−ＲＳとＳＲＳとに関する空間関係情報を設定される場合（例えば、ＢＣ有りの場合）には、当該ＳＳＢ又はＣＳＩ−ＲＳの受信のための空間ドメインフィルタと同じ空間ドメインフィルタを用いて当該ＳＲＳリソースを送信してもよい。つまり、この場合、ＵＥはＳＳＢ又はＣＳＩ−ＲＳのＵＥ受信ビームとＳＲＳのＵＥ送信ビームとが同じであると想定してもよい。
【００４５】
ＵＥは、あるＳＲＳ（ターゲットＳＲＳ）リソースについて、別のＳＲＳ（参照ＳＲＳ）と当該ＳＲＳ（ターゲットＳＲＳ）とに関する空間関係情報を設定される場合（例えば、ＢＣ無しの場合）には、当該参照ＳＲＳの送信のための空間ドメインフィルタと同じ空間ドメインフィルタを用いてターゲットＳＲＳリソースを送信してもよい。つまり、この場合、ＵＥは参照ＳＲＳのＵＥ送信ビームとターゲットＳＲＳのＵＥ送信ビームとが同じであると想定してもよい。
【００４６】
ＵＥは、ＤＣＩ（例えば、ＤＣＩフォーマット０＿１）内の所定フィールド（例えば、ＳＲＳリソース識別子（ＳＲＩ）フィールド）の値に基づいて、当該ＤＣＩによりスケジュールされるＰＵＳＣＨの空間関係を決定してもよい。具体的には、ＵＥは、当該所定フィールドの値（例えば、ＳＲＩ）に基づいて決定されるＳＲＳリソースの空間関係情報（例えば、ＲＲＣ情報要素の「spatialRelationInfo」）をＰＵＳＣＨ送信に用いてもよい。
【００４７】
また、ＵＥは、設定グラントタイプ１の場合、設定グラント設定情報（例えば、ＲＲＣ情報要素の「ConfiguredGrantConfig」）によって設定されるＰＵＳＣＨの空間関係を、当該設定グラント設定情報内の設定上りグラント（例えば、ＲＲＣ情報要素の「rrc-ConfiguredUplinkGrant」）内の所定パラメータ（例えば、ＲＲＣ情報要素の「srs-ResourceIndicator」）の値に基づいて決定してもよい。
【００４８】
また、ＵＥは、設定グラントタイプ２の場合、設定グラント設定情報（例えば、ＲＲＣ情報要素の「ConfiguredGrantConfig」）によって設定されるＰＵＳＣＨの空間関係を、設定スケジューリング−無線ネットワーク一時識別子（Configured  Scheduling-Radio  Network  Temporary  Identifier（ＣＳ−ＲＮＴＩ））によって冗長検査チェック（Cyclic  Redundancy  Check（ＣＲＣ））スクランブルされるＤＣＩ内の所定フィールド（例えば、ＳＲＩフィールド）の値に基づいて決定してもよい。
【００４９】
このように、ＵＥは、ＤＣＩ又は設定グラント設定情報に基づいて決定されるＳＲＩのＳＲＳリソースと空間関係にある基準ＲＳ（ＳＳＢ、ＣＳＩ−ＲＳ又はＳＲＳ）の受信又は送信に用いる空間ドメインフィルタと同一の又は対応する空間ドメインフィルタを用いてＰＵＳＣＨを送信してもよい。
【００５０】
しかしながら、所定の条件が満たされる場合、ＵＥは、上記ＤＣＩ内の所定フィールド（例えば、ＳＲＩフィールド）、又は、上記設定グラント設定情報内の所定パラメータ（例えば、ＳＲＩ）に基づいて、ＰＵＳＣＨの送信に用いる空間関係を決定できない恐れがある。
【００５１】
例えば、ＤＣＩ（例えば、ＰＵＳＣＨのスケジューリングに用いられるＤＣＩフォーマット０＿０又は０＿１）がＳＲＩフィールドを必ず含むとは限らない。ＤＣＩフォーマット０＿０には、上記ＳＲＩフィールドが仕様で規定されていない。また、ＤＣＩフォーマット０＿１には、上記ＳＲＩフィールドが仕様で規定されるが、当該ＳＲＩフィールドはオプション項目であるため、ＰＵＳＣＨをスケジュールするＤＣＩフォーマット０＿１が当該ＳＲＩフィールドを含まないことも想定される。
【００５２】
また、設定グラント設定情報がＳＲＩを必ず含むとも限らない。当該設定グラント設定情報内の設定上りグラントには、ＳＲＩ（例えば、ＲＲＣ情報要素の「srs-ResourceIndicator」）が仕様で規定されるが、当該ＳＲＩはオプション項目であるため、当該設定上りグラントが当該ＳＲＩを含まないことも想定される。また、設定グラントタイプ２において、ＣＳ−ＲＮＴＩによってＣＲＣスクランブルされるＤＣＩ（設定グラント設定情報のアクティブ化用のＤＣＩ）がＳＲＩフィールドを含むとも限らない。
【００５３】
そこで、本発明者らは、ＳＲＩフィールドを含まないＤＣＩ（例えば、ＤＣＩフォーマット０＿０又は０＿１）によりスケジューリングされるＰＵＳＣＨ、及び、ＳＲＩを含まない設定グラント設定情報により設定されるＰＵＳＣＨの少なくとも一つの空間関係を適切に決定する方法を検討し、本発明に至った。
【００５４】
以下、本開示に係る実施形態について、図面を参照して詳細に説明する。各実施の態様に示した構成は、それぞれ単独で適用されてもよいし、組み合わせて適用されてもよい。
【００５５】
また、以下において、「ＳＲＳ」、「ＳＲＳリソース」、「ＳＲＳリソースＩＤ」、「ＳＲＳリソースＩＤで特定されるＳＲＳリソース」、「ＳＲＳリソースＩＤで特定されるＳＲＳリソースを用いて送信されるＳＲＳ」等は相互に読み替えられてもよい。また、「ＳＲＩ」、「ＳＲＳリソース識別子」、「ＳＲＳリソースＩＤ」等も相互に読み替えられてもよい。また、ＤＣＩ内のＳＲＩフィールドは、ＳＲＩ用のフィールドであれば、名称はこれに限られない。
【００５６】
また、「ＰＵＣＣＨ」、「ＰＵＣＣＨリソース」、「ＰＵＣＣＨリソースＩＤ」、「ＰＵＣＣＨリソースＩＤで特定されるＰＵＣＣＨリソース」、「ＰＵＣＣＨリソースＩＤで特定されるＰＵＣＣＨリソースを用いて送信されるＰＵＣＣＨ」、「ＰＵＣＣＨフォーマット」等は相互に読み替えられてもよい。
【００５７】
また、「空間関係」、「空間ドメインフィルタ」、「ビーム」、「ＱＣＬ関係」は互いに読み替えられてもよい。また、「信号／チャネルの送信に用いる空間関係」、「空間ドメイン送信フィルタ」、「送信ビーム」は互いに読み替えられてもよい。また、「信号／チャネルの受信に用いる空間関係」、「空間ドメイン受信フィルタ」、「受信ビーム」は互いに読み替えられてもよい。
【００５８】
（第１の態様）
ＵＥは、ＳＲＩフィールドが仕様で規定されていないＤＣＩフォーマット０＿０でＰＵＳＣＨがスケジューリングされる場合、当該ＰＵＳＣＨがスケジューリングされるセルでアクティブな上りＢＷＰに設定されるＰＵＣＣＨリソースの中で最低ＩＤのＰＵＣＣＨリソースに対応する空間関係に従って、ＰＵＳＣＨを送信することが想定される。
【００５９】
一方、上述のように、ＳＲＩフィールドが仕様でオプションとして規定されるＤＣＩフォーマット０＿１が、ＳＲＩフィールドを含まない場合も想定される。同様に、ＳＲＩが仕様でオプションとして規定される設定グラント設定情報は、当該ＳＲＩを含まないこと場合も想定される。
【００６０】
そこで、第１の態様では、ＰＵＣＣＨの空間関係（所定のＰＵＣＣＨリソースに対応する空間関係）をＰＵＳＣＨに用いるケースを拡張する。
【００６１】
具体的には、ＵＥは、ＳＲＩフィールドを含まないＤＣＩ（特に、ＤＣＩフォーマット０＿１）によりスケジューリングされるＰＵＳＣＨ、及び、ＳＲＩを含まない設定グラント設定情報により設定されるＰＵＳＣＨの少なくとも一つの送信を、ＰＵＣＣＨの空間関係（所定のＰＵＣＣＨリソースに対応する空間関係）に従って制御してもよい。
【００６２】
なお、当該ＤＣＩは、例えば、Ｃ−ＲＮＴＩ、ＭＣＳ−ＲＮＴＩ、ＣＳ−ＲＮＴＩ又はＴＣ−ＲＮＴＩでＣＲＣスクランブルされてもよい。
【００６３】
図１は、第１の態様に係るＰＵＳＣＨの空間関係の決定の一例を示すフローチャートである。図１に示すように、ステップＳ１０１において、ＵＥは、以下のいずれかの条件が満たされるか否かを判定する：
・ＤＣＩフォーマット０＿０でＰＵＳＣＨがスケジュールされる、又は
・ＳＲＩフィールドなしの（without  SRI  field）ＤＣＩフォーマット０＿１でＰＵＳＣＨがスケジュールされる、又は、
・ＳＲＩなしの（without  SRI）設定グラント設定情報でＰＵＳＣＨが設定される。
【００６４】
ＵＥは、上記いずれかの条件が満たされる場合（ステップＳ１０１；ＹＥＳ）、ステップＳ１０２において、ＰＵＳＣＨがスケジュール又は設定されるセルでアクティブな上りＢＷＰに設定されるＰＵＣＣＨリソースの中で所定ＩＤ（例えば、最低ＩＤ）のＰＵＣＣＨリソースに対応する空間関係に従って、ＰＵＳＣＨを送信してもよい。
【００６５】
一方、ＵＥは、上記全ての条件が満たされない場合（ステップＳ１０１；ＮＯ）（すなわち、ＳＲＩフィールド有りの（with  SRI  field）ＤＣＩフォーマット０＿１でＰＵＳＣＨがスケジュールされる、又は、ＳＲＩ有りの（with  SRI）設定グラント設定情報でＰＵＳＣＨが設定される場合）、ステップＳ１０３において、ＤＣＩフォーマット０＿１内のＳＲＩフィールドの値又は設定グラント設定情報内のＳＲＩに基づいて、ＰＵＳＣＨの空間関係を決定してもよい。
【００６６】
第１の態様によれば、ＳＲＩフィールドを含まないＤＣＩ（特に、ＤＣＩフォーマット０＿１）によりスケジューリングされるＰＵＳＣＨ、及び、ＳＲＩを含まない設定グラント設定情報により設定されるＰＵＳＣＨの空間関係を所定のＰＵＣＣＨリソースに対応する空間関係に従って適切に決定できる。
【００６７】
（第２の態様）
ＵＥは、上り同期の確立等のために、ランダムアクセス手順を行う。例えば、ランダムアクセス手順には、衝突型ランダムアクセス（Contention-Based  Random  Access（ＣＢＲＡ）等ともいう）と非衝突型ランダムアクセス（Ｎｏｎ−ＣＢＲＡ、コンテンションフリーランダムアクセス（Contention-Free  Random  Access（ＣＦＲＡ））等ともいう）とが含まれる。
【００６８】
ＣＢＲＡでは、ユーザ端末は、各セルに定められる複数のプリアンブル（ランダムアクセスプリアンブル、ランダムアクセスチャネル（Physical  Random  Access  Channel（ＰＲＡＣＨ））、ＲＡＣＨプリアンブル等ともいう）からランダムに選択したプリアンブルを送信する。また、衝突型ランダムアクセスは、ユーザ端末主導のランダムアクセス手順であり、例えば、初期アクセス時、ＵＬ送信の開始又は再開時等に用いることができる。
【００６９】
図２は、ＣＢＲＡの一例を示す図である。図２において、ユーザ端末は、システム情報（例えば、Mater  Information  Block（ＭＩＢ）及び／又はSystem  Information  Block（ＳＩＢ））や上位レイヤシグナリング（例えば、ＲＲＣシグナリング）により、ランダムアクセスチャネル（ＰＲＡＣＨ）の構成（PRACH  configuration、RACH  configuration）を示す情報（ＰＲＡＣＨ構成情報）を予め受信する。
【００７０】
当該ＰＲＡＣＨ構成情報は、例えば、各セルに定められる複数のプリアンブル（例えば、プリアンブルフォーマット）、ＰＲＡＣＨ送信に用いられる時間領域リソース及び周波数領域リソース等を示すことができる。
【００７１】
図２に示すように、ＵＥは、アイドル（RRC_IDLE）状態からＲＲＣ接続（RRC_CONNECTED）状態に遷移する場合（例えば、初期アクセス時）、ＲＲＣ接続状態であるがＵＬ同期が確立されていない場合（例えば、ＵＬ送信の開始又は再開時）等において、ＰＲＡＣＨ構成情報が示す複数のプリアンブルの一つをランダムに選択し、選択されたプリアンブルをＰＲＡＣＨにより送信する（メッセージ１）。
【００７２】
基地局は、プリアンブルを検出すると、その応答としてランダムアクセスレスポンス（Random  Access  Response（ＲＡＲ））を送信する（メッセージ２）。ＵＥは、プリアンブルの送信後、所定期間（ＲＡＲ  window）内にＲＡＲの受信に失敗する場合、ＰＲＡＣＨの送信電力を上げてプリアンブルを再度送信（再送）してもよい。
【００７３】
ＲＡＲを受信したＵＥは、ＲＡＲに含まれるタイミングアドバンス（ＴＡ）に基づいて、ＵＬの送信タイミングを調整し、ＵＬの同期を確立する。また、ＵＥは、ＲＡＲ内のＵＬグラントによりスケジューリングされるＰＵＳＣＨを用いて、上位レイヤ（Ｌ２／Ｌ３：Layer  2/Layer  3）の制御メッセージを送信する（メッセージ３）。当該制御メッセージには、ＵＥの識別子（ＵＥ−ＩＤ）が含まれる。当該ユーザ端末の識別子は、例えば、所定のＲＮＴＩであってもよいし、上位レイヤのＵＥ−ＩＤであってもよい。
【００７４】
基地局は、上位レイヤの制御メッセージに応じて、衝突解決用メッセージを送信する（メッセージ４）。当該衝突解決用メッセージは、上記制御メッセージに含まれるユーザ端末の識別子宛に基づいて送信される。衝突解決用メッセージの検出に成功したユーザ端末は、ＨＡＲＱ（Hybrid  Automatic  Repeat  reQuest）における肯定応答（ＡＣＫ：Acknowledge）を無線基地局に送信する。これにより、アイドル状態のユーザ端末はＲＲＣ接続状態に遷移する。
【００７５】
一方、当該衝突解決用メッセージの検出に失敗したユーザ端末は、衝突が発生したと判断し、プリアンブルを再選択し、メッセージ１から４のランダムアクセス手順を繰り返す。無線基地局は、ユーザ端末からのＡＣＫにより衝突が解決されたことを検出すると、当該ユーザ端末に対して、ＵＬグラントを送信する。ユーザ端末は、ＵＬグラントにより割り当てられるＵＬリソースを用いてＵＬデータを開始する。
【００７６】
以上のようなＣＢＲＡでは、一時セル（Temporary  Cell（ＴＣ）−ＲＮＴＩ）でＣＲＣスクランブルされたＤＣＩフォーマット０＿０によってＰＵＳＣＨがスケジューリングされる場合、ＵＥは、当該ＰＵＳＣＨでメッセージ３を再送する。基地局は、メッセージ３を受信するまでは（衝突解決までは）、どのＵＥであるかを認識できない。上記の通り、メッセージ３にＵＥの識別子が含まれるためである。
【００７７】
したがって、ＵＥがＴＣ−ＲＮＴＩでＣＲＣスクランブルされるＤＣＩフォーマット０＿０によってスケジューリングされるＰＵＳＣＨを送信する場合、基地局は、ＵＥが、当該ＰＵＳＣＨの送信にどの空間関係を用いるのかを認識できない恐れがある。
【００７８】
そこで、第２の態様では、ＵＥが個別ＰＵＣＣＨ設定情報を有するか否か、及び、ＰＵＳＣＨをスケジュールするＤＣＩ（例えば、ＤＣＩフォーマット０＿０）のＣＲＣスクランブルに用いられるＲＮＴＩの少なくとも一つに基づいて、ＰＵＳＣＨの送信用の空間関係を決定する。
【００７９】
図３は、第２の態様に係るＰＵＳＣＨの空間関係の決定の一例を示すフローチャートである。図３に示すように、ステップＳ２０１において、ＵＥは、個別ＰＵＣＣＨ設定情報を有するか（設定されるか）否かを判定する。
【００８０】
ＵＥが個別ＰＵＣＣＨ設定情報を有しない場合（ステップＳ２０１；ＮＯ）、ステップＳ２０２において、ＵＥは、セル固有に設定されるＰＵＣＣＨリソースの中で所定ＩＤ（例えば、最低ＩＤ）のＰＵＣＣＨリソースに対応する空間関係に従って、ＰＵＳＣＨを送信してもよい。
【００８１】
例えば、個別ＰＵＣＣＨ設定情報は、ＵＥ個別のＰＵＣＣＨリソースセット情報（例えば、PUCCH-ResourceSet）に関連付けられるＰＵＣＣＨリソース設定情報であってもよい。また、セル固有に設定されるＰＵＣＣＨリソースは、ＲＲＣ制御要素「pucch-ResourceCommon」によって与えられるＰＵＣＣＨリソースであってもよい。ＲＲＣ制御要素「pucch-ResourceCommon」は、システム情報（例えば、ＳＩＢ１）に含まれてもよい。
【００８２】
一方、ＵＥが個別ＰＵＣＣＨ設定情報を有する場合（ステップＳ２０１；ＹＥＳ）、ステップＳ２０３において、ＵＥは、以下のいずれかの条件が満たされるか否かを判定する：
・所定のＲＮＴＩ（例えば、Ｃ−ＲＮＴＩ、ＭＣＳ−Ｃ−ＲＮＴＩ又はＣＳ−ＲＮＴＩ）によってＤＣＩフォーマット０＿０でＰＵＳＣＨがスケジュールされる、
・ＳＲＩフィールドなしのＤＣＩフォーマット０＿１でＰＵＳＣＨがスケジュールされる、又は、
・ＳＲＩなしの設定グラント設定情報でＰＵＳＣＨが設定される。
【００８３】
ＵＥは、上記いずれかの条件が満たされる場合（ステップＳ２０３；ＹＥＳ）、ステップＳ２０４において、個別ＰＵＣＣＨ設定情報で設定されるＰＵＣＣＨリソースの中で所定ＩＤ（例えば、最低ＩＤ）のＰＵＣＣＨリソースに対応する空間関係に従って、ＰＵＳＣＨを送信してもよい。
【００８４】
例えば、個別ＰＵＣＣＨ設定情報は、ＲＲＣ制御要素「PUCCH-Config」であってもよい。ＵＥは、ＲＲＣ制御要素「PUCCH-Config」内の「PUCCH-ResourceSet」内の「PUCCH-ResourceId」のリストによって識別される一以上のＰＵＣＣＨリソースの中で最低ＩＤのＰＵＣＣＨリソースに対応する空間関係を、ＰＵＳＣＨ用に決定してもよい。また、個別ＰＵＣＣＨ設定情報は、ＰＵＳＣＨがスケジューリングされるセルでアクティブな上りＢＷＰに設定されるＲＲＣ制御要素「PUCCH-Config」であってもよい。
【００８５】
一方、ＵＥは、上記全ての条件が満たされない場合（ステップＳ２０３；ＮＯ）、ステップＳ２０５において、ＴＣ−ＲＮＴＩによってＣＲＣスクランブルされるＤＣＩフォーマット０＿０でＰＵＳＣＨがスケジュールされるか否かを判定してもよい。なお、図３に示すステップＳ２０３、Ｓ２０５の順序は例示にすぎず、ステップＳ２０３の前にステップＳ２０５が実施されてもよい。
【００８６】
ＵＥは、ＴＣ−ＲＮＴＩによってＣＲＣスクランブルされるＤＣＩフォーマット０＿０でＰＵＳＣＨがスケジュールされる場合（ステップＳ２０５；ＹＥＳ）、ステップＳ２０６において所定のルールに従って当該ＰＵＳＣＨの空間関係を決定してもよい。例えば、所定のルールは、以下の（１）〜（４）のいずれかであってもよい。
【００８７】
（１）ＵＥは、当該ＴＣ−ＲＮＴＩによってＣＲＣスクランブルされるＤＣＩフォーマット０＿０が送信されるランダムアクセス手順（例えば、図２）において、直近のＰＲＡＣＨ（ＲＡＣＨプリアンブル、プリアンブル）の送信と同一の空間ドメインフィルタを用いて、ＰＵＳＣＨを送信してもよい。
【００８８】
すなわち、ステップＳ２０６では、ＵＥは、ＤＣＩフォーマット０＿０でスケジュールされるＰＵＳＣＨであっても、最低ＩＤを有するＰＵＣＣＨの空間関係に基づく（図１のステップＳ１０２）のではなく、直近のＰＲＡＣＨの空間関係に基づいて、ＰＵＳＣＨの送信を制御してもよい。
【００８９】
（２）ＵＥは、当該ＴＣ−ＲＮＴＩによってＣＲＣスクランブルされるＤＣＩフォーマット０＿０が送信されるランダムアクセス手順（例えば、図２）において、ＲＡＲ内の上りグラントによってスケジュールされる直近のＰＵＳＣＨの送信と同一の空間ドメインフィルタを用いて、上記ＤＣＩフォーマット０＿０でスケジュールされるＰＵＳＣＨを送信してもよい。
【００９０】
すなわち、ステップＳ２０６では、ＵＥは、ＤＣＩフォーマット０＿０でスケジュールされるＰＵＳＣＨであっても、最低ＩＤを有するＰＵＣＣＨの空間関係に基づく（図１のステップＳ１０２）のではなく、ＲＡＲ内の上りグラントによってスケジュールされる直近のＰＵＳＣＨの空間関係に基づいて、上記ＤＣＩフォーマット０＿０でスケジュールされるＰＵＳＣＨの送信を制御してもよい。
【００９１】
（３）ＵＥは、セル固有に設定されるＰＵＣＣＨリソースの中で所定ＩＤ（例えば、最低ＩＤ）のＰＵＣＣＨリソースに対応する空間関係に従って、ＰＵＳＣＨを送信してもよい。例えば、セル固有に設定されるＰＵＣＣＨリソースは、ＲＲＣ制御要素「pucch-ResourceCommon」によって与えられるＰＵＣＣＨリソースであってもよい。ＲＲＣ制御要素「pucch-ResourceCommon」は、システム情報（例えば、ＳＩＢ１）に含まれてもよい。
【００９２】
すなわち、ステップＳ２０６では、ＵＥは、個別ＰＵＣＣＨ設定情報を有していても、ＵＥ個別に設定されるＰＵＣＣＨリソースではなく、セル固有に設定されるＰＵＣＣＨリソースに対応する空間関係に従って、上記ＤＣＩフォーマット０＿０でスケジュールされるＰＵＳＣＨの送信を制御してもよい。
【００９３】
（４）ＵＥは、個別ＰＵＣＣＨ設定情報で設定されるＰＵＣＣＨリソースの中で所定ＩＤ（例えば、最低ＩＤ）のＰＵＣＣＨリソースに対応する空間関係に従って、ＰＵＳＣＨを送信してもよい。すなわち、ステップＳ２０６において、ＵＥは、ステップＳ２０４と同様に動作してもよい。
【００９４】
第２の態様によれば、ＳＲＩフィールドを含まないＤＣＩ（特に、ＤＣＩフォーマット０＿１）によりスケジューリングされるＰＵＳＣＨ、及び、ＳＲＩを含まない設定グラント設定情報により設定されるＰＵＳＣＨの空間関係を適切に決定できる。特に、ＴＣ−ＲＮＴＩによってＣＲＣスクランブルされるＤＣＩによってスケジュールされるＰＵＳＣＨの空間関係を適切に決定できる。
【００９５】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【００９６】
図４は、一実施形態に係る無線通信システムの概略構成の一例を示す図である。無線通信システム１は、Third  Generation  Partnership  Project（３ＧＰＰ）によって仕様化されるLong  Term  Evolution（ＬＴＥ）、ＬＴＥ―Advanced（ＬＴＥ−Ａ）、5th  generation  mobile  communication  system  New  Radio（５Ｇ  ＮＲ）などを用いて通信を実現するシステムであってもよい。
【００９７】
また、無線通信システム１は、複数のRadio  Access  Technology（ＲＡＴ）間のデュアルコネクティビティ（マルチＲＡＴデュアルコネクティビティ（Multi-RAT  Dual  Connectivity（ＭＲ−ＤＣ）））をサポートしてもよい。ＭＲ−ＤＣは、ＬＴＥ（Evolved  Universal  Terrestrial  Radio  Access（Ｅ−ＵＴＲＡ））とＮＲとのデュアルコネクティビティ（E-UTRA-NR  Dual  Connectivity（ＥＮ−ＤＣ））、ＮＲとＬＴＥとのデュアルコネクティビティ（NR-E-UTRA  Dual  Connectivity（ＮＥ−ＤＣ））などを含んでもよい。
【００９８】
ＥＮ−ＤＣでは、ＬＴＥ（Ｅ−ＵＴＲＡ）の基地局（ｅＮＢ）がマスタノード（Master  Node（ＭＮ））であり、ＮＲの基地局（ｇＮＢ）がセカンダリノード（Secondary  Node（ＳＮ））である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【００９９】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（NR-NR  Dual  Connectivity（ＮＮ−ＤＣ）））をサポートしてもよい。
【０１００】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１０１】
ユーザ端末２０は、複数の基地局１０のうち、少なくとも１つに接続してもよい。ユーザ端末２０は、複数のコンポーネントキャリア（Component  Carrier（ＣＣ））を用いたキャリアアグリゲーション（Carrier  Aggregation（ＣＡ））及びデュアルコネクティビティ（ＤＣ）の少なくとも一方を利用してもよい。
【０１０２】
各ＣＣは、第１の周波数帯（Frequency  Range  1（ＦＲ１））及び第２の周波数帯（Frequency  Range  2（ＦＲ２））の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１０３】
また、ユーザ端末２０は、各ＣＣにおいて、時分割複信（Time  Division  Duplex（ＴＤＤ））及び周波数分割複信（Frequency  Division  Duplex（ＦＤＤ））の少なくとも１つを用いて通信を行ってもよい。
【０１０４】
複数の基地局１０は、有線（例えば、Common  Public  Radio  Interface（ＣＰＲＩ）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はIntegrated  Access  Backhaul（ＩＡＢ）ドナー、中継局（リレー）に該当する基地局１２はＩＡＢノードと呼ばれてもよい。
【０１０５】
基地局１０は、他の基地局１０を介して、又は直接コアネットワーク３０に接続されてもよい。コアネットワーク３０は、例えば、Evolved  Packet  Core（ＥＰＣ）、5G  Core  Network（５ＧＣＮ）、Next  Generation  Core（ＮＧＣ）などの少なくとも１つを含んでもよい。
【０１０６】
ユーザ端末２０は、ＬＴＥ、ＬＴＥ−Ａ、５Ｇなどの通信方式の少なくとも１つに対応した端末であってもよい。
【０１０７】
無線通信システム１においては、直交周波数分割多重（Orthogonal  Frequency  Division  Multiplexing（ＯＦＤＭ））ベースの無線アクセス方式が利用されてもよい。例えば、下りリンク（Downlink（ＤＬ））及び上りリンク（Uplink（ＵＬ））の少なくとも一方において、Cyclic  Prefix  OFDM（ＣＰ−ＯＦＤＭ）、Discrete  Fourier  Transform  Spread  OFDM（ＤＦＴ−ｓ−ＯＦＤＭ）、Orthogonal  Frequency  Division  Multiple  Access（ＯＦＤＭＡ）、Single  Carrier  Frequency  Division  Multiple  Access（ＳＣ−ＦＤＭＡ）などが利用されてもよい。
【０１０８】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１０９】
無線通信システム１では、下りリンクチャネルとして、各ユーザ端末２０で共有される下り共有チャネル（Physical  Downlink  Shared  Channel（ＰＤＳＣＨ））、ブロードキャストチャネル（Physical  Broadcast  Channel（ＰＢＣＨ））、下り制御チャネル（Physical  Downlink  Control  Channel（ＰＤＣＣＨ））などが用いられてもよい。
【０１１０】
また、無線通信システム１では、上りリンクチャネルとして、各ユーザ端末２０で共有される上り共有チャネル（Physical  Uplink  Shared  Channel（ＰＵＳＣＨ））、上り制御チャネル（Physical  Uplink  Control  Channel（ＰＵＣＣＨ））、ランダムアクセスチャネル（Physical  Random  Access  Channel（ＰＲＡＣＨ））などが用いられてもよい。
【０１１１】
ＰＤＳＣＨによって、ユーザデータ、上位レイヤ制御情報、System  Information  Block（ＳＩＢ）などが伝送される。ＰＵＳＣＨによって、ユーザデータ、上位レイヤ制御情報などが伝送されてもよい。また、ＰＢＣＨによって、Master  Information  Block（ＭＩＢ）が伝送されてもよい。
【０１１２】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（Downlink  Control  Information（ＤＣＩ））を含んでもよい。
【０１１３】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１１４】
ＰＤＣＣＨの検出には、制御リソースセット（COntrol  REsource  SET（ＣＯＲＥＳＥＴ））及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１１５】
１つのサーチスペースは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１１６】
ＰＵＣＣＨによって、チャネル状態情報（Channel  State  Information（ＣＳＩ））、送達確認情報（例えば、Hybrid  Automatic  Repeat  reQuest  ACKnowledgement（ＨＡＲＱ−ＡＣＫ）、ＡＣＫ／ＮＡＣＫなどと呼ばれてもよい）及びスケジューリングリクエスト（Scheduling  Request（ＳＲ））の少なくとも１つを含む上り制御情報（Uplink  Control  Information（ＵＣＩ））が伝送されてもよい。ＰＲＡＣＨによって、セルとの接続確立のためのランダムアクセスプリアンブルが伝送されてもよい。
【０１１７】
なお、本開示において下りリンク、上りリンクなどは「リンク」を付けずに表現されてもよい。また、各種チャネルの先頭に「物理（Physical）」を付けずに表現されてもよい。
【０１１８】
無線通信システム１では、同期信号（Synchronization  Signal（ＳＳ））、下りリンク参照信号（Downlink  Reference  Signal（ＤＬ−ＲＳ））などが伝送されてもよい。無線通信システム１では、ＤＬ−ＲＳとして、セル固有参照信号（Cell-specific  Reference  Signal（ＣＲＳ））、チャネル状態情報参照信号（Channel  State  Information  Reference  Signal（ＣＳＩ−ＲＳ））、復調用参照信号（DeModulation  Reference  Signal（ＤＭＲＳ））、位置決定参照信号（Positioning  Reference  Signal（ＰＲＳ））、位相トラッキング参照信号（Phase  Tracking  Reference  Signal（ＰＴＲＳ））などが伝送されてもよい。
【０１１９】
同期信号は、例えば、プライマリ同期信号（Primary  Synchronization  Signal（ＰＳＳ））及びセカンダリ同期信号（Secondary  Synchronization  Signal（ＳＳＳ））の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、SS  Block（ＳＳＢ）などと呼ばれてもよい。なお、ＳＳ、ＳＳＢなども、参照信号と呼ばれてもよい。
【０１２０】
また、無線通信システム１では、上りリンク参照信号（Uplink  Reference  Signal（ＵＬ−ＲＳ））として、測定用参照信号（Sounding  Reference  Signal（ＳＲＳ））、復調用参照信号（ＤＭＲＳ）などが伝送されてもよい。なお、ＤＭＲＳはユーザ端末固有参照信号（UE-specific  Reference  Signal）と呼ばれてもよい。
【０１２１】
（基地局）
図５は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１２２】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１２３】
制御部１１０は、基地局１０全体の制御を実施する。制御部１１０は、本開示に係る技術分野での共通認識に基づいて説明されるコントローラ、制御回路などから構成することができる。
【０１２４】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１２５】
送受信部１２０は、ベースバンド（baseband）部１２１、Radio  Frequency（ＲＦ）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１２６】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１２７】
送受信アンテナ１３０は、本開示に係る技術分野での共通認識に基づいて説明されるアンテナ、例えばアレイアンテナなどから構成することができる。
【０１２８】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１２９】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１３０】
送受信部１２０（送信処理部１２１１）は、例えば制御部１１０から取得したデータ、制御情報などに対して、Packet  Data  Convergence  Protocol（ＰＤＣＰ）レイヤの処理、Radio  Link  Control（ＲＬＣ）レイヤの処理（例えば、ＲＬＣ再送制御）、Medium  Access  Control（ＭＡＣ）レイヤの処理（例えば、ＨＡＲＱ再送制御）などを行い、送信するビット列を生成してもよい。
【０１３１】
送受信部１２０（送信処理部１２１１）は、送信するビット列に対して、チャネル符号化（誤り訂正符号化を含んでもよい）、変調、マッピング、フィルタ処理、離散フーリエ変換（Discrete  Fourier  Transform（ＤＦＴ））処理（必要に応じて）、逆高速フーリエ変換（Inverse  Fast  Fourier  Transform（ＩＦＦＴ））処理、プリコーディング、デジタル−アナログ変換などの送信処理を行い、ベースバンド信号を出力してもよい。
【０１３２】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１３３】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１３４】
送受信部１２０（受信処理部１２１２）は、取得されたベースバンド信号に対して、アナログ−デジタル変換、高速フーリエ変換（Fast  Fourier  Transform（ＦＦＴ））処理、逆離散フーリエ変換（Inverse  Discrete  Fourier  Transform（ＩＤＦＴ））処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１３５】
送受信部１２０（測定部１２３）は、受信した信号に関する測定を実施してもよい。例えば、測定部１２３は、受信した信号に基づいて、Radio  Resource  Management（ＲＲＭ）測定、Channel  State  Information（ＣＳＩ）測定などを行ってもよい。測定部１２３は、受信電力（例えば、Reference  Signal  Received  Power（ＲＳＲＰ））、受信品質（例えば、Reference  Signal  Received  Quality（ＲＳＲＱ）、Signal  to  Interference  plus  Noise  Ratio（ＳＩＮＲ）、Signal  to  Noise  Ratio（ＳＮＲ））、信号強度（例えば、Received  Signal  Strength  Indicator（ＲＳＳＩ））、伝搬路情報（例えば、ＣＳＩ）などについて測定してもよい。測定結果は、制御部１１０に出力されてもよい。
【０１３６】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１３７】
なお、本開示における基地局１０の送信部及び受信部は、送受信部１２０、送受信アンテナ１３０及び伝送路インターフェース１４０の少なくとも１つによって構成されてもよい。
【０１３８】
なお、送受信部１２０は、サウンディング参照信号（ＳＲＳ）リソース識別子用のフィールドを含まない下り制御情報、又は、前記ＳＲＳリソース識別子を含まない設定情報を送信してもよい。また、送受信部２２０は、ＰＵＣＣＨ設定情報及びＳＲＳ設定情報の少なくとも一つを送信してもよい。
【０１３９】
また、送受信部１２０は、前記下り制御情報によってスケジュールされる、又は、前記設定情報によって設定される上り共有チャネルを受信してもよい。
【０１４０】
制御部２１０は、前記上り共有チャネルの空間関係を決定して、前記上り共有チャネルの受信を制御してもよい。
【０１４１】
（ユーザ端末）
図６は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１４２】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１４３】
制御部２１０は、ユーザ端末２０全体の制御を実施する。制御部２１０は、本開示に係る技術分野での共通認識に基づいて説明されるコントローラ、制御回路などから構成することができる。
【０１４４】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１４５】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１４６】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１４７】
送受信アンテナ２３０は、本開示に係る技術分野での共通認識に基づいて説明されるアンテナ、例えばアレイアンテナなどから構成することができる。
【０１４８】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１４９】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１５０】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１５１】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１５２】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１５３】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１５４】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１５５】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５６】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１５７】
なお、本開示におけるユーザ端末２０の送信部及び受信部は、送受信部２２０、送受信アンテナ２３０及び伝送路インターフェース２４０の少なくとも１つによって構成されてもよい。
【０１５８】
なお、送受信部２２０は、サウンディング参照信号（ＳＲＳ）リソース識別子用のフィールドを含まない下り制御情報、又は、前記ＳＲＳリソース識別子を含まない設定情報を受信してもよい。また、送受信部２２０は、ＰＵＣＣＨ設定情報及びＳＲＳ設定情報の少なくとも一つを受信してもよい。
【０１５９】
また、送受信部２２０は、前記下り制御情報によってスケジュールされる、又は、前記設定情報によって設定される上り共有チャネルを送信してもよい。
【０１６０】
制御部２１０は、前記上り共有チャネルの送信に用いる空間関係を決定してもよい。
【０１６１】
具体的には、制御部２１０は、前記上り共有チャネルを送信するセル内でアクティブな上り帯域幅部分に設定される一以上の上り制御チャネル用リソースの中で、最低の識別子を有する上り制御チャネル用リソースに対応する空間関係を、前記上り共有チャネルの送信に用いてもよい（第１の態様）。
【０１６２】
また、制御部２１０は、ユーザ端末２０に個別の上り制御チャネル構成が設定されない場合、セル固有に設定される一以上の上り制御チャネル用リソースの中で最低の識別子を有する上り制御チャネル用リソースに対応する空間関係を、前記上り共有チャネルの送信に用いてもよい（第２の態様）。
【０１６３】
また、制御部２１０は、ユーザ端末２０に個別の上り制御チャネル構成が設定され、かつ、前記下り制御情報が特定のＲＮＴＩ（例えば、Ｃ−ＲＮＴＩ、ＭＣＳ−Ｃ−ＲＮＴＩ、ＣＳ−ＲＮＴＩ）によってＣＲＣスクランブルされる場合、前記制御部は、直近のランダムアクセスチャネルと同一の空間関係を、前記上り共有チャネルの送信に用いてもよい（第２の態様）。
【０１６４】
また、制御部２１０は、ユーザ端末２０に個別の上り制御チャネル構成が設定され、かつ、前記下り制御情報が特定のＲＮＴＩ（例えば、ＴＣ−ＲＮＴＩ）によってＣＲＣスクランブルされる場合、前記制御部は、直近のランダムアクセスチャネルと同一の空間関係を、前記上り共有チャネルの送信に用いてもよい（第２の態様）。
【０１６５】
また、制御部２１０は、ユーザ端末２０に個別の上り制御チャネル構成が設定され、かつ、前記下り制御情報が特定のＲＮＴＩ（例えば、ＴＣ−ＲＮＴＩ）によってＣＲＣスクランブルされる場合、前記制御部は、ランダムアクセス応答によってスケジュールされる直近の上り共有チャネルと同一の空間関係を、前記上り共有チャネルの送信に用いてもよい（第２の態様）。
【０１６６】
また、制御部２１０は、ユーザ端末２０に個別の上り制御チャネル構成が設定され、かつ、前記下り制御情報が特定のＲＮＴＩ（例えば、ＴＣ−ＲＮＴＩ）によってＣＲＣスクランブルされる場合、セル固有に設定される一以上の上り制御チャネル用リソースの中で最低の識別子を有する上り制御チャネル用リソースに対応する空間関係を、前記上り共有チャネルの送信に用いてもよい（第２の態様）。
【０１６７】
また、制御部２１０は、ユーザ端末２０に個別の上り制御チャネル構成が設定され、かつ、前記下り制御情報が特定のＲＮＴＩ（例えば、ＴＣ−ＲＮＴＩ）によってＣＲＣスクランブルされる場合、当該ユーザ端末２０に個別に設定される一以上の上り制御チャネル用リソースの中で最低の識別子を有する上り制御チャネル用リソースに対応する空間関係を、前記上り共有チャネルの送信に用いてもよい（第２の態様）。
【０１６８】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１６９】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１７０】
例えば、本開示の一実施形態における基地局、ユーザ端末などは、本開示の無線通信方法の処理を行うコンピュータとして機能してもよい。図７は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１７１】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１７２】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１７３】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１７４】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（Central  Processing  Unit（ＣＰＵ））によって構成されてもよい。例えば、上述の制御部１１０（２１０）、送受信部１２０（２２０）などの少なくとも一部は、プロセッサ１００１によって実現されてもよい。
【０１７５】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１７６】
メモリ１００２は、コンピュータ読み取り可能な記録媒体であり、例えば、Read  Only  Memory（ＲＯＭ）、Erasable  Programmable  ROM（ＥＰＲＯＭ）、Electrically  EPROM（ＥＥＰＲＯＭ）、Random  Access  Memory（ＲＡＭ）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１７７】
ストレージ１００３は、コンピュータ読み取り可能な記録媒体であり、例えば、フレキシブルディスク、フロッピー（登録商標）ディスク、光磁気ディスク（例えば、コンパクトディスク（Compact  Disc  ROM（ＣＤ−ＲＯＭ）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７８】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（Frequency  Division  Duplex（ＦＤＤ））及び時分割複信（Time  Division  Duplex（ＴＤＤ））の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１７９】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、Light  Emitting  Diode（ＬＥＤ）ランプなど）である。なお、入力装置１００５及び出力装置１００６は、一体となった構成（例えば、タッチパネル）であってもよい。
【０１８０】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１８１】
また、基地局１０及びユーザ端末２０は、マイクロプロセッサ、デジタル信号プロセッサ（Digital  Signal  Processor（ＤＳＰ））、Application  Specific  Integrated  Circuit（ＡＳＩＣ）、Programmable  Logic  Device（ＰＬＤ）、Field  Programmable  Gate  Array（ＦＰＧＡ）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１８２】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号（reference  signal）は、ＲＳと略称することもでき、適用される標準によってパイロット（Pilot）、パイロット信号などと呼ばれてもよい。また、コンポーネントキャリア（Component  Carrier（ＣＣ））は、セル、周波数キャリア、キャリア周波数などと呼ばれてもよい。
【０１８３】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１８４】
ここで、ニューメロロジーは、ある信号又はチャネルの送信及び受信の少なくとも一方に適用される通信パラメータであってもよい。ニューメロロジーは、例えば、サブキャリア間隔（SubCarrier  Spacing（ＳＣＳ））、帯域幅、シンボル長、サイクリックプレフィックス長、送信時間間隔（Transmission  Time  Interval（ＴＴＩ））、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１８５】
スロットは、時間領域において１つ又は複数のシンボル（Orthogonal  Frequency  Division  Multiplexing（ＯＦＤＭ）シンボル、Single  Carrier  Frequency  Division  Multiple  Access（ＳＣ−ＦＤＭＡ）シンボルなど）によって構成されてもよい。また、スロットは、ニューメロロジーに基づく時間単位であってもよい。
【０１８６】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１８７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１８８】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８９】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１９１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１９２】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１９３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１９４】
リソースブロック（Resource  Block（ＲＢ））は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１９５】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０１９６】
なお、１つ又は複数のＲＢは、物理リソースブロック（Physical  RB（ＰＲＢ））、サブキャリアグループ（Sub-Carrier  Group（ＳＣＧ））、リソースエレメントグループ（Resource  Element  Group（ＲＥＧ））、ＰＲＢペア、ＲＢペアなどと呼ばれてもよい。
【０１９７】
また、リソースブロックは、１つ又は複数のリソースエレメント（Resource  Element（ＲＥ））によって構成されてもよい。例えば、１ＲＥは、１サブキャリア及び１シンボルの無線リソース領域であってもよい。
【０１９８】
帯域幅部分（Bandwidth  Part（ＢＷＰ））（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１９９】
ＢＷＰには、ＵＬ  ＢＷＰ（ＵＬ用のＢＷＰ）と、ＤＬ  ＢＷＰ（ＤＬ用のＢＷＰ）とが含まれてもよい。ＵＥに対して、１キャリア内に１つ又は複数のＢＷＰが設定されてもよい。
【０２００】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２０１】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（Cyclic  Prefix（ＣＰ））長などの構成は、様々に変更することができる。
【０２０２】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２０３】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０２０４】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２０５】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２０６】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２０７】
情報の通知は、本開示において説明した態様／実施形態に限られず、他の方法を用いて行われてもよい。例えば、本開示における情報の通知は、物理レイヤシグナリング（例えば、下り制御情報（Downlink  Control  Information（ＤＣＩ））、上り制御情報（Uplink  Control  Information（ＵＣＩ）））、上位レイヤシグナリング（例えば、Radio  Resource  Control（ＲＲＣ）シグナリング、ブロードキャスト情報（マスタ情報ブロック（Master  Information  Block（ＭＩＢ））、システム情報ブロック（System  Information  Block（ＳＩＢ））など）、Medium  Access  Control（ＭＡＣ）シグナリング）、その他の信号又はこれらの組み合わせによって実施されてもよい。
【０２０８】
なお、物理レイヤシグナリングは、Layer  1／Layer  2（Ｌ１／Ｌ２）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  Control  Element（ＣＥ））を用いて通知されてもよい。
【０２０９】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１０】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２１１】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２１２】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（Digital  Subscriber  Line（ＤＳＬ））など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２１３】
本開示において使用する「システム」及び「ネットワーク」という用語は、互換的に使用され得る。「ネットワーク」は、ネットワークに含まれる装置（例えば、基地局）のことを意味してもよい。
【０２１４】
本開示において、「プリコーディング」、「プリコーダ」、「ウェイト（プリコーディングウェイト）」、「擬似コロケーション（Quasi-Co-Location（ＱＣＬ））」、「Transmission  Configuration  Indication  state（ＴＣＩ状態）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２１５】
本開示においては、「基地局（Base  Station（ＢＳ））」、「無線基地局」、「固定局（fixed  station）」、「ＮｏｄｅＢ」、「ｅＮＢ（ｅＮｏｄｅＢ）」、「ｇＮＢ（ｇＮｏｄｅＢ）」、「アクセスポイント（access  point）」、「送信ポイント（Transmission  Point（ＴＰ））」、「受信ポイント（Reception  Point（ＲＰ））」、「送受信ポイント（Transmission/Reception  Point（ＴＲＰ））」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２１６】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（Remote  Radio  Head（ＲＲＨ）））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２１７】
本開示においては、「移動局（Mobile  Station（ＭＳ））」、「ユーザ端末（user  terminal）」、「ユーザ装置（User  Equipment（ＵＥ））」、「端末」などの用語は、互換的に使用され得る。
【０２１８】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２１９】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのInternet  of  Things（ＩｏＴ）機器であってもよい。
【０２２０】
また、本開示における基地局は、ユーザ端末で読み替えてもよい。例えば、基地局及びユーザ端末間の通信を、複数のユーザ端末間の通信（例えば、Device-to-Device（Ｄ２Ｄ）、Vehicle-to-Everything（Ｖ２Ｘ）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２２１】
同様に、本開示におけるユーザ端末は、基地局で読み替えてもよい。この場合、上述のユーザ端末２０が有する機能を基地局１０が有する構成としてもよい。
【０２２２】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、Mobility  Management  Entity（ＭＭＥ）、Serving-Gateway（Ｓ−ＧＷ）などが考えられるが、これらに限られない）又はこれらの組み合わせによって行われ得ることは明らかである。
【０２２３】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２２４】
本開示において説明した各態様／実施形態は、Long  Term  Evolution（ＬＴＥ）、LTE-Advanced（ＬＴＥ−Ａ）、LTE-Beyond（ＬＴＥ−Ｂ）、ＳＵＰＥＲ  ３Ｇ、ＩＭＴ−Ａｄｖａｎｃｅｄ、4th  generation  mobile  communication  system（４Ｇ）、5th  generation  mobile  communication  system（５Ｇ）、Future  Radio  Access（ＦＲＡ）、Ｎｅｗ−Radio  Access  Technology（ＲＡＴ）、New  Radio（ＮＲ）、New  radio  access（ＮＸ）、Future  generation  radio  access（ＦＸ）、Global  System  for  Mobile  communications（ＧＳＭ（登録商標））、ＣＤＭＡ２０００、Ultra  Mobile  Broadband（ＵＭＢ）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、Ultra-WideBand（ＵＷＢ）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２２５】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２２６】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２２７】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２２８】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２２９】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３０】
また、「判断（決定）」は、「想定する（assuming）」、「期待する（expecting）」、「みなす（considering）」などで読み替えられてもよい。
【０２３１】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２３２】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２３３】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２３４】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２３５】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２３６】
本開示において、例えば、英語でのa,  an及びtheのように、翻訳によって冠詞が追加された場合、本開示は、これらの冠詞の後に続く名詞が複数形であることを含んでもよい。
【０２３７】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020144780.tif 000003
【図２】
2020144780.tif 000004
【図３】
2020144780.tif 000005
【図４】
2020144780.tif 000006
【図５】
2020144780.tif 000007
【図６】
2020144780.tif 000008
【図７】
2020144780.tif 000009
【手続補正書】
【提出日】令和3年7月19日(2021.7.19)
【手続補正１】
【補正対象書類名】特許請求の範囲
【補正対象項目名】全文
【補正方法】変更
【補正の内容】
【特許請求の範囲】
【請求項１】
サウンディング参照信号（ＳＲＳ）リソース識別子用のフィールドを含まない下り制御情報を受信する受信部と、
前記下り制御情報によってスケジュールされる上り共有チャネルを送信する送信部と、
端末に個別に設定される上り制御チャネル構成の設定情報により設定される一以上の上り制御チャネル用リソースのうち、前記上り共有チャネルを送信するセル内でアクティブな上り帯域幅部分に設定される前記上り制御チャネル用リソースの中で、最低の値の識別子を有する上り制御チャネル用リソースに対応する空間関係を、前記上り共有チャネルの送信に用いることを決定する制御部と、
を具備することを特徴とする端末。
【請求項２】
前記設定情報は、上位レイヤシグナリングにより、端末に設定されることを特徴とする請求項１に記載の端末。
【請求項３】
前記サウンディング参照信号（ＳＲＳ）リソース識別子用のフィールドを含まない下り制御情報は、ＤＣＩフォーマット０＿０であることを特徴とする請求項１に記載の端末。
【請求項４】
サウンディング参照信号（ＳＲＳ）リソース識別子用のフィールドを含まない下り制御情報を受信する工程と、
前記下り制御情報によってスケジュールされる上り共有チャネルを送信する工程と、
端末に個別に設定される上り制御チャネル構成の設定情報により設定される一以上の上り制御チャネル用リソースのうち、前記上り共有チャネルを送信するセル内でアクティブな上り帯域幅部分に設定される前記制御チャネル用リソースの中で、最低の値の識別子を有する上り制御チャネル用リソースに対応する空間関係を、前記上り共有チャネルの送信に用いることを決定する工程と、
を具備することを特徴とする無線通信方法。
【請求項５】
無線基地局と端末を有する無線通信システムであって、
前記無線基地局は、
サウンディング参照信号（ＳＲＳ）リソース識別子用のフィールドを含まない下り制御情報を送信する送信部と、
前記下り制御情報によってスケジュールされる上り共有チャネルを受信する受信部と、を具備し、
前記端末は、
下り制御情報を受信する受信部と、
前記上り共有チャネルを送信する送信部と、
前記上り共有チャネルの送信に用いる空間関係を決定する制御部と、
を具備し、
前記端末に個別に設定される上り制御チャネル構成の設定情報により設定される一以上の上り制御チャネル用リソースのうち、前記上り共有チャネルを送信するセル内でアクティブな上り帯域幅部分に設定される前記上り制御チャネル用リソースの中で、最低の値の識別子を有する上り制御チャネル用リソースに対応する空間関係を、前記上り共有チャネルの送信に用いることを決定する制御部と、
を具備することを特徴とする、無線通信システム。
【手続補正３】
【補正対象書類名】明細書
【補正対象項目名】００１０
【補正方法】変更
【補正の内容】
【００１０】
本開示の一態様に係る端末は、サウンディング参照信号（ＳＲＳ）リソース識別子用のフィールドを含まない下り制御情報を受信する受信部と、前記下り制御情報によってスケジュールされる上り共有チャネルを送信する送信部と、端末に個別に設定される上り制御チャネル構成の設定情報により設定される一以上の上り制御チャネル用リソースのうち、前記上り共有チャネルを送信するセル内でアクティブな上り帯域幅部分に設定される前記上り制御チャネル用リソースの中で、最低の値の識別子を有する上り制御チャネル用リソースに対応する空間関係を、前記上り共有チャネルの送信に用いることを決定する制御部と、を具備する。
【国際調査報告】
2020144780.tif 000010
2020144780.tif 000011